(57)【特許請求の範囲】
【請求項１】
ＨＩＤランプの駆動回路を収容し、照明器具内に配されるケースの外側に取り付けられる端子台において、端子台の正面側に電源側の電線が自己鎖錠式の電線押さえに挿入される電線挿入孔及び送り配線側の電線が自己鎖錠式の電線押さえに挿入される電線挿入孔、又はランプ側の電線が自己鎖錠式の電線押さえに挿入される電線挿入孔を設けると共に、ケースへの取り付け面側に駆動回路の電線が自己鎖錠式の電線押さえに挿入される電線挿入孔を設けた端子台にして、ケースの被取り付け面に設けた穴に嵌入される絶縁性の素材からなるボス状の突起を端子台の取り付け面側に設け、この突起内に電線挿入孔を設けたことを特徴とする端子台。
【発明の詳細な説明】
【０００１】
【発明の属する技術分野】
この発明は電気器具に使用する端子台に関し、より詳細には放電灯等の照明器具内で用いるのに最適な端子台に関する。
【０００２】
【従来の技術】
安定器やインバータ等のランプ駆動用の回路を必要とする放電灯用の照明器具においては、電源からの電線を駆動回路に接続し、更に駆動回路をランプに接続するための端子台を器具内に設けていた。
【０００３】
図７及び図８は従来技術の端子台５０の例を示す図である。ここでは一面を照明器具Ｌへの取り付け面５０Ａとした筐体状の本体に端子を複数個設けている。この場合、端子台の正面５０Ｂに電源側の電線Ｌ１、Ｌ１が挿入される電線挿入孔５４、５４と送り配線側の電線Ｌ２、Ｌ２が挿入される電線挿入孔５７、５７が設けられ、側面５０Ｃに駆動回路側の電線Ｌ３、Ｌ３が接続される端子６０、６０が設けられている。
【０００４】
【発明が解決しようとする課題】
ところで、駆動回路を構成する電気部品は照明器具内に露出して配されるのが通常であるが、送り配線により複数台の照明器具の電源が共通している場合にはランプ交換のために照明器具を１台だけ消灯できないことがあり、通電した状態で作業せざるを得ず感電の危険が指摘され、特に高圧のＨＩＤ(high intensity discharge lamp) ランプの場合はこの問題は深刻であり、駆動回路を独立したケース内に収容し、これを照明器具内に配することが提案されるに至っている。
【０００５】
ところが、この場合に従来技術の端子台においては全ての端子が端子台の表面に表れているので、駆動回路を独立したケース内に折角収容しても電線はケース外に露出することとなる問題を生じた。又、このようなケースを使用することにより得られるであろう（感電防止とは異なる観点からの）メリットも享受できない問題を生じた。
【０００６】
【課題を解決するための手段】
この発明は以上の従来技術の問題点を解消する端子台を提供する事を目的として創作されたものであり、一面を器具への取り付け面とした筐体状の本体に端子に連通する電線挿入孔を複数個設けた端子台において、電線挿入孔を電気器具への取り付け面側にも設けたことを特徴とする。
【０００７】
よって、この発明の端子台を駆動回路を独立したケース内に収容した照明器具において使用すれば、端子台を照明器具本体でなく駆動回路を収容したケースに取り付けることにより、駆動回路側の電線をケース外に露出させずにケース内から端子台の取り付け面側の端子に接続できる作用を生じることとなる。
【０００８】
【発明の実施の形態】
以下、この発明の具体的実施例を添付図面に基づいて説明する。図１乃至図３はこの発明の第１実施例を示す図であり、ここでは照明器具Ｌ内に配したランプの駆動回路を収容したケースＢ外側に取り付けられる端子台にして、電源側に用いられるものを想定している（図６参照）。図中符合１０は端子台の本体であり、ここでは前後に二分割した絶縁性の素材からなる容器状の部材を組み合わせることにより、内部に電気部材を収容する空間を確保した筐体状に構成している（図３参照）。又、端子として逆止作用を有する板バネ状の電線押さえを電線に圧接する公知の自己鎖錠式のものを採用しており、端子台に設けた電線挿入孔から電線をこの端子に向かって挿入する構造としている。
【０００９】
図中符合１４、１４は電源側の電線Ｌ１、Ｌ１が挿入される電線挿入孔であり、この電線挿入孔は端子台１０の正面１０Ｂ側に設けられ、端子台内部の対応箇所には端子を構成する公知の電線押さえ１５が設けられる。この電線押さえ１５はバネ性を有する導電板からなり、端子台内に設けた保持壁に当接・保持すべきコ字部と、このコ字部の一辺を電線挿入方向に向け折曲した第１圧接部１５Ａ、及び他辺を山状に湾曲した第２圧接部１５Ｂからなる形状に構成される（図３参照）。挿入された電線Ｌ１はこの電線押さえ１５の第１圧接部１５Ａ、第２圧接部１５Ｂに圧接されて端子に固定され、第１圧接部先端が電線に対し鋭角方向に食い込むことにより逆刃作用によりその引き抜き方向には離脱できなくなる公知の作用を生じる。尚、図中符合１６はこの場合に押圧により第１圧接部１５Ａを押し開くための解除杆である（図１参照）。
【００１０】
一方、この実施例では電源側の電線が挿入される電線挿入孔の他に、他の照明器具に電源を供給するための送り配線側の電線Ｌ２、Ｌ２が挿入される電線挿入孔１７、１７が端子台１０の正面１０Ｂ側に設けられ、端子台内部の対応箇所には前記の電線押さえ１５と同様の電線押さえ１８が設けられる。この電線押さえ１８はバネ性を有する導電板からなり、端子台内に設けた保持壁に当接・保持すべきコ字部と、このコ字部の一辺を電線挿入方向に向け折曲した第１圧接部１８Ａ、及び他辺を山状に湾曲した第２圧接部１８Ｂからなる形状に構成され（図３参照）、前記の電線押さえ１５と同様の作用を生じる。図中符合１９は押圧により第１圧接部１８Ａを押し開くための解除杆である（図１参照）。
【００１１】
この端子台１０のケースＢへの取り付け面１０Ａ側には、駆動回路の電源側の電線Ｌ３、Ｌ３が挿入される電線挿入孔２０、２０が設けられ、これがこの発明の特徴部分となる（図２及び図３参照）。この実施例ではケースＢの被取り付け面に設けた穴に嵌入される絶縁性の素材からなるボス状の突起１３、１３を取り付け面１０Ａ側に設け、この突起内に電線挿入孔２０、２０を設けている。こうすることにより、ケースＢが導電性のものである場合に、挿入される電線が不用意にケースに接触することが防止される。
【００１２】
一方、端子台内部の前記の電線挿入孔２０、２０の対応箇所には前記の電線押さえ１５と同様の電線押さえ２１が設けられる。この電線押さえ２１はバネ性を有する導電板からなり、端子台内に設けた保持壁に当接・保持すべきコ字部と、このコ字部の一辺を電線挿入方向に向け折曲した第１圧接部２１Ａ、及び他辺を山状に湾曲した第２圧接部２１Ｂからなる形状に構成され（図３参照）、前記の電線押さえ１５と同様の作用を生じる。尚、この電線押さえ２１の第１圧接部２１Ａは挿入された工具等により押し開かれるものであり、この工具を挿入するための貫通孔２２、２２が前記のボス状の突起１３、１３に設けられる。
【００１３】
以上の構成よりなる端子台１０は、端子台を貫通する取り付け孔１１を挿通する取り付け螺子（図示せず）によりランプの駆動回路を収容したケースＢの一端に固定されることにより使用に供される（図６参照）。尚、取り付け孔１１はアースの導通路を兼ねるものであり、端子台の正面側１０Ｂ側にはアース用の電線の電線挿入孔２３、２３が設けられる。又、端子台のケースへの取り付け面側に突出しているピン１２は、ケースＢの被取り付け面に設けられる孔に挿入されることにより端子台の取り付けを確実にするためのものである。
【００１４】
図４及び図５はこの発明の第２実施例を示す図であり、ここでは照明器具Ｌ内に配したランプの駆動回路を収容したケースＢ外側に取り付けられる端子台にして、ランプ側に用いられるものを想定している（図６参照）。図中符合３０は端子台の本体であり、前後に二分割した絶縁性の素材からなる容器状の部材を組み合わせることにより、内部に電気部材を収容する空間を確保した筐体状に構成している。又、前記の第１実施例同様、端子として逆止作用を有する板バネ状の電線押さえを電線に圧接する公知の自己鎖錠式のものを採用しており、端子台に設けた電線挿入孔から電線をこの端子に向かって挿入する構造としている。
【００１５】
図中符合３４、４４はランプ側の電線Ｌ４、Ｌ４が挿入される電線挿入孔であり、この電線挿入孔は端子台３０の正面３０Ｂ側に設けられ（図４参照）、端子台内部の対応箇所には端子を構成する電線押さえが設けられる（図示せず）。この電線押さえの構成は前記の第１実施例の場合と同様なので、ここではその説明は省略する。尚、図中符合３６は押圧により電線押さえの第１圧接部を押し開くための解除杆である。
【００１６】
この端子台３０のケースＢへの取り付け面３０Ａ側には、駆動回路のランプ側の電線が挿入される電線挿入孔４０、４０が設けられ、これがこの発明の特徴部分となる（図５参照）。ここでは前記の第１実施例の場合と同様にケースＢの被取り付け面に設けた穴に嵌入される絶縁性の素材からなるボス状の突起３３、３３を取り付け面３０Ｂ側に設け、この突起内に電線挿入孔４０、４０を設けている。こうすることにより、ケースＢが導電性のものである場合に、挿入される電線が不用意にケースに接触することが防止される。一方、端子台内部の前記の電線挿入孔２０、２０の対応箇所には電線押さえが設けられ、突起３３、３３には工具を挿入するための貫通孔３２、３２が設けられることは、前記の第１実施例の場合と同様なので、ここではその説明は省略する。
【００１７】
以上の構成よりなる端子台３０は、端子台を貫通する取り付け孔３１を挿通する取り付け螺子（図示せず）によりランプの駆動回路を収容したケースＢの一端に固定されることにより使用に供される。図６には前記第１実施例における端子台１０と組み合わせて使用している例を示している。尚、取り付け孔３１、アース用の電線の電線挿入孔４３、４３、端子台のケースへの取り付け面側に突出しているピン３５に関しては前記の第１実施例の場合と同様なので、ここではその説明は省略する。
【００１８】
【発明の効果】
以上の構成よりなるこの発明によれば、照明器具においてランプの駆動回路を収容したケースにこの発明の端子台を使用する事により、駆動回路の電線を外部に露出させずに端子台に接続することが可能となるので、ランプ交換時に端子に不用意に手を触れる事故が防止される。
【００１９】
又、ランプの駆動回路を収容したケースに予め端子台を取り付けておくことも可能となるので、作業性が良好となる。
【図面の簡単な説明】
【図１】  この発明の第１実施例の端子台を正面から観察した斜視図。
【図２】  この発明の第１実施例の端子台を背面から観察した斜視図。
【図３】  この発明の第１実施例の端子台の断面図。
【図４】  この発明の第２実施例の端子台を正面から観察した斜視図。
【図５】  この発明の第２実施例の端子台を背面から観察した斜視図。
【図６】  この発明の第１実施例の端子台及び第２実施例の端子台を使用した照明器具の要部の一部切り欠き側面図。
【図７】  従来技術の端子台を正面から観察した斜視図。
【図８】  従来技術の端子台を背面から観察した斜視図。
【符号の説明】
１０      端子台の本体
１０Ａ    端子台の電気器具への取り付け面
１４      電線挿入孔
１７      電線挿入孔
２０      電線挿入孔
以上第１実施例
３０      端子台の本体
３０Ａ    端子台の電気器具への取り付け面
３４      電線挿入孔
４０      電線挿入孔
以上第２実施例
【図１】
0004627594.tif 000002
【図２】
0004627594.tif 000003
【図３】
0004627594.tif 000004
【図４】
0004627594.tif 000005
【図５】
0004627594.tif 000006
【図６】
0004627594.tif 000007
【図７】
0004627594.tif 000008
【図８】
0004627594.tif 000009